Podtech/llm-jp-corpus-v4-ja_patent huggingface dataset:
【手続補正書】
【提出日】平成23年3月17日(2011.3.17)
【手続補正１】
【補正対象書類名】特許請求の範囲
【補正対象項目名】請求項２
【補正方法】変更
【補正の内容】
【請求項２】
前記工程（ｂ）で割り当てられる前記無線リソース集合は、前記移動局（２１０）のために予約された非競合の上りリンク無線リソース集合であることを特徴とする請求項１に記載の方法（３００Ａ、３００Ｂ）。
【手続補正２】
【補正対象書類名】特許請求の範囲
【補正対象項目名】請求項９
【補正方法】変更
【補正の内容】
【請求項９】
複数のターゲット基地局（２３０）への前記ハンドオーバが実行され、
前記ターゲット基地局（２３０）は前記複数のターゲット基地局（２３０）のアンカー・ターゲット基地局（２３０−１）であり、
前記方法は、前記複数のターゲット基地局（２３０）が前記工程（ｃ．ｄ）において前記移動局（２３０）とデータを交換できるように、前記アンカー・ターゲット基地局（２３０−１）によって他のターゲット基地局（２３０）に通知する工程（６２５Ｂ）をさらに有する
ことを特徴とする請求項８に記載の方法（３００Ｂ）。
【手続補正３】
【補正対象書類名】特許請求の範囲
【補正対象項目名】請求項１３
【補正方法】変更
【補正の内容】
【請求項１３】
前記工程（ａ）は、ネットワーク・バックボーン（２４０）を介して前記ターゲット基地局（２３０）へＨＯ事前通知ＲＥＱ／ＨＯ−ＲＥＱメッセージを送信する工程（５２０Ａ、５２０Ｂ）を含み、
前記工程（ｂ）は、前記ネットワーク・バックボーン（２４０）を介して前記ターゲット基地局（２３０）からＨＯ事前通知ＲＥＳ／ＨＯ−ＲＥＳメッセージを受信する工程（５３０Ａ、５３０Ｂ）を含み、
前記無線リソース集合情報は前記ＨＯ事前通知ＲＥＳ／ＨＯ−ＲＥＳメッセージにピギーバックされ、
前記無線リソース集合は、前記移動局（２１０）が前記ターゲット基地局（２３０）へＲＮＧ−ＲＥＱメッセージを送信するための非競合の上りリンク・アクセス時間スロットを含み、
前記工程（ｃ）は、
前記工程（ａ）の前に前記移動局（２１０）からＭＯＢ＿ＭＳＨＯ−ＲＥＱメッセージを受信する（５１０Ａ、５１０Ｂ）とともに、前記工程（ｂ）の後に前記サービング無線リンクを介して前記移動局（２１０）へＭＯＢ＿ＢＳＨＯ−ＲＥＳメッセージを送信する（５４０Ａ、５４０Ｂ）工程であって、前記無線リソース集合情報は前記ＭＯＢ＿ＢＳＨＯ−ＲＥＳメッセージにピギーバックされる、工程と、
前記工程（ｂ）の後に前記サービング無線リンクを介して前記移動局（２１０）へＭＯＢ＿ＢＳＨＯ−ＲＥＱメッセージを送信する（５５０Ａ、５５０Ｂ）工程であって、前記無線リソース集合情報は前記ＭＯＢ＿ＢＳＨＯ−ＲＥＱメッセージにピギーバックされる、工程と、のうちの一方を含む
ことを特徴とする請求項１０に記載の方法（７００Ａ、７００Ｂ）。
【手続補正４】
【補正対象書類名】特許請求の範囲
【補正対象項目名】請求項２３
【補正方法】変更
【補正の内容】
【請求項２３】
前記工程（ｂ）において、前記移動局（２１０）は、隣接基地局のそれぞれについて、信号強度、ＤＣＤ用のＴ１カウンタ、ロストＬＤ  ＭＡＰ間隔及びＤＬ  ＭＡＰの受信時間のうち少なくとも何れかに基づいて前記一つ以上の候補のターゲット基地局の前記リストを決定することを特徴とする請求項１９に記載の方法（９００Ａ）。
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
電源に接続されたモータ駆動システムにおけるバス高調波を自動調整する方法であって：
自動調整対象の各々の高調波について：
前記自動調整対象の高調波に起因する少なくとも１つの高調波成分を有するバスフィードバック信号を、ソース基準系から前記自動調整対象の高調波の高調波基準系に変換してｑｄフィードバック信号を形成するステップと；
指令値から前記ｑｄフィードバック信号を減算してｑｄ信号を形成するステップと；
前記ｑｄ信号を自動調整するステップと；
前記自動調整されたｑｄ信号を目的の基準系に変換して補償信号を形成するステップと；
前記補償信号を制御信号に加算して、前記自動調整対象の高調波を前記指令値に近づけるｑｄ制御信号を形成するステップとを備える； 
方法。
【請求項２】
前記フィードバック信号を変換するステップは、前記自動調整対象の高調波の高調波角度を決定するステップを有する、
請求項１に記載の方法。
【請求項３】
前記高調波角度を決定するステップは：
前記電源の周波数と同じ周波数を有する正弦波のゼロクロシングが検出されると積分器の出力をリセットするステップと；
前記高調波角度を前記積分器の前記出力に設定するステップとを有する； 
請求項２に記載の方法。
【請求項４】
前記ｑｄフィードバック信号をフィルタリングするステップをさらに備える、
請求項１乃至請求項３のいずれか一項に記載の方法。
【請求項５】
前記ｑｄフィードバック信号をフィルタリングするステップは、前記高調波基準系において前記ｑｄフィードバック信号をフィルタリングするステップを有する、
請求項４に記載の方法。
【請求項６】
前記ｑｄフィードバック信号をフィルタリングするステップは、ローパスフィルタを用いて前記ｑｄフィードバック信号をフィルタリングするステップを有する、
請求項４又は請求項５に記載の方法。
【請求項７】
前記補償信号を制御信号に加算して、ｑｄ制御信号を形成するステップは、前記補償信号を前記モータ駆動システムにおけるＶｑｓｅ同期系電圧指令に加算するステップを有する、
請求項１乃至請求項６のいずれか一項に記載の方法。
【請求項８】
前記自動調整されたｑｄ信号を前記目的の基準系に変換するステップは、目的の調和次数に基づいて前記自動調整されたｑｄ信号を前記目的の基準系に変換するステップを有する
請求項１乃至請求項７のいずれか一項に記載の方法。
【請求項９】
前記バスフィードバック信号を変換するステップは、バス電流フィードバック信号を変換するステップを有する、
請求項１乃至請求項８のいずれか一項に記載の方法。
【請求項１０】
請求項１に記載の各ステップを実行するためのコンピュータが実行可能な命令を有する、
コンピュータ読み取り可能媒体。
【請求項１１】
前記自動調整対象の高調波の高調波角度を決定するステップを実行するためのコンピュータが実行可能な命令をさらに有する、
請求項１０に記載のコンピュータ読み取り可能媒体。
【請求項１２】
前記高調波角度を決定するステップは：
前記電源の周波数と同じ周波数を有する正弦波のゼロクロシングが検出されると積分器の出力をリセットするステップと；
前記高調波角度を前記積分器の前記出力に設定するステップとを有する、
請求項１１に記載のコンピュータ読み取り可能媒体。
【請求項１３】
前記ｑｄフィードバック信号をフィルタリングするステップを実行するためのコンピュータが実行可能な命令をさらに有する、
請求項１０乃至請求項１２のいずれか一項に記載のコンピュータ読み取り可能媒体。
【請求項１４】
前記ｑｄフィードバック信号をフィルタリングするステップは、前記高調波基準系において前記ｑｄフィードバック信号をフィルタリングするステップを有する、
請求項１３に記載のコンピュータ読み取り可能媒体。
【請求項１５】
前記ｑｄフィードバック信号をフィルタリングするステップは、ローパスフィルタを用いて前記ｑｄフィードバック信号をフィルタリングするステップを有する、
請求項１３又は請求項１４に記載のコンピュータ読み取り可能媒体。
【請求項１６】
前記補償信号を制御信号に加算して、前記ｑｄ制御信号を形成するステップは、前記補償信号を前記モータ駆動システムにおけるＶｑｓｅ同期系電圧指令に加算するステップを有する、
請求項１０乃至請求項１５のいずれか一項に記載のコンピュータ読み取り可能媒体。
【請求項１７】
前記自動調整されたｑｄ信号を前記目的の基準系に変換するステップは、目的の調和次数に基づいて前記自動調整されたｑｄ信号を前記目的の基準系に変換するステップを有する、
請求項１０乃至請求項１６のいずれか一項に記載のコンピュータ読み取り可能媒体。
【請求項１８】
前記バスフィードバック信号を変換するステップは、バス電流フィードバック信号を変換するステップを有する、
請求項１０乃至請求項１７のいずれか一項に記載のコンピュータ読み取り可能媒体。
【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
医用デバイスであって：
埋設可能部材において、該埋設可能部材を取り囲む媒体に見られる分析対象濃度の変化に応じてその孔度を可逆的に変える、分析対象反応性多孔質膜を含む埋設可能部材と；
液体を該分析対象反応性多孔質膜に輸送するように構成される圧発生手段と；
前記液体が該分析対象反応性多孔質膜を通過するときの流動抵抗を測定するように適応されるセンサーと、
を含む、医用デバイス。
【請求項２】
前記圧発生手段が、液体を一連の不連続量として前記グルコース反応性多孔質膜に向けて輸送する、請求項１記載の医用デバイス。
【請求項３】
前記センサーが、液体輸送時に変位される屈曲性膜を含み、該屈曲性膜の減衰行動が流動抵抗の定量に使用される、請求項１又は２記載の医用デバイス。
【請求項４】
ディスポーザブルユニット(36)及び再使用可能ユニット(38)を含む、請求項１ないし３いずれか１項に記載の医用デバイスであって、該ディスポーザブルユニットが、埋設可能部材(4)と流動抵抗センサー(3)の一部(3a)と液剤貯留槽(20)とポンプ(22)の一部(22a)とを含み、該再使用可能ユニットが、信号処理回路と電源と前記流動抵抗センサーの補足部分(3b)と前記ポンプの補足部分(22b)を含む、医用デバイス。
【請求項５】
前記埋設可能部材が、前記分析対象反応性多孔質膜(28, 28’)によって充填、又はコートされる孔(8)を持つ支持チューブ(9)を含む、請求項１ないし４いずれか１項に記載の医用デバイス。
【請求項６】
前記分析対象反応性多孔質膜(28’)が、前記支持チューブ(9)内に挿入されるチューブの形状を取る、請求項５記載の医用デバイス。
【請求項７】
前記分析対象反応性多孔質膜が、分析対象反応性ヒドロゲルを取り込む多孔質基質を含む、請求項６記載の医用デバイス。
【請求項８】
前記埋設可能部材が、該埋設可能部材の自由端の近傍に配置されるバルブ(14)を含む、請求項１ないし７いずれか１項に記載の医用デバイス。
【請求項９】
前記バルブが、対向当接する弾性突起から造られる圧バルブを含む、請求項８記載の医用デバイス。
【請求項１０】
前記分析対象がグルコースであり、前記液体が患者の血中グルコースレベルを調節することが可能な薬剤を含む、請求項１ないし９いずれか１項に記載の医用デバイス。
【請求項１１】
前記分析対象がグルコースであり、前記多孔質膜が、グルコースオキシダーゼ、レクチン、及びフェニルボロン酸系ヒドロゲルの群から選ばれる、グルコース反応性ヒドロゲルを含む、請求項１ないし１０いずれか１項に記載の医用デバイス。
【請求項１２】
分析対象反応性多孔質膜を取り囲む溶液に見られる分析対象濃度の変化に応じてその孔度を変える、該分析対象反応性多孔質膜を含む医用デバイスを操作する方法であって：
該分析対象反応性多孔質膜に向けて、液体を一つ以上の不連続な指定容量において汲みこむこと；
該分析対象反応性多孔質膜を通過する液体の流動抵抗を測定すること；
その測定された流動抵抗に基づいて分析対象濃度を決定すること、
を含む方法。
【請求項１３】
前記液体を前記多孔質膜を通じて汲みこむことによって前記分析対象反応性多孔質膜を濯ぐこと、その後、該多孔質膜を通過する該液体の流動抵抗を測定することを含む較正工程を更に含む、請求項１２記載の方法。
【請求項１４】
前記流動抵抗が前記液体の汲みこみ時に変位される屈曲性膜を含むセンサーによって測定され、その際、該屈曲性膜の減衰行動が測定されて流動抵抗を定量する、請求項１２又は１３記載の方法。
【請求項１５】
前記分析対象がグルコースであり、前記分析対象反応性多孔質膜が、グルコースオキシダーゼ、レクチン、及びフェニルボロン酸系ヒドロゲルの群から選ばれる、グルコース反応性ヒドロゲルを含む、請求項１２ないし１４いずれか１項に記載の方法。
【手続補正書】
【提出日】平成23年9月19日(2011.9.19)
【手続補正１】
【補正対象書類名】特許請求の範囲
【補正対象項目名】全文
【補正方法】変更
【補正の内容】
【特許請求の範囲】
【請求項１】
底部、側壁および前記底部の反対側に配設される開口を備える少なくとも一つのキャビティを備えたマイクロリアクタであって、前記底部と平行の前記側壁を横切る断面が、円形の、正方形のまたは矩形の形状と相違する形状を有し、その際に断面の基本形状が任意の多角形または円であり、これらが少なくとも一つのまたは複数の凹形または凸形の円形セグメントを備えている、ことを特徴とするマイクロリアクタ。
【請求項２】
請求項１に記載のマイクロリアクタであって、前記底部と平行の前記側壁を横切る断面が、前記断面内へまたは後者（前記断面）から半径で突き出る少なくとも一つの凹形のおよび／または凸形の円形セグメントを備え、この半径が０．０６７〜０．４９掛ける前記断面の対角線に達する、ことを特徴とするマイクロリアクタ。
【請求項３】
請求項１または２に記載のマイクロリアクタであって、前記断面が３つを超える、好ましくは４つを超える弧を備え、これらの弧がそれぞれ１つの９０°を超える円形セグメントを形成している、ことを特徴とするマイクロリアクタ。
【請求項４】
請求項１〜３のいずれか１つに記載のマイクロリアクタであって、前記断面が０．５ｍｍを超える半径を有する角を備える、ことを特徴とするマイクロリアクタ。
【請求項５】
請求項１〜４のいずれか１つに記載のマイクロリアクタであって、前記断面が前記キャビティ内に突出する領域を備え、および複数のこの種の領域が、異なる寸法を備えている、ことを特徴とするマイクロリアクタ。
【請求項６】
請求項１〜５のいずれか１つに記載のマイクロリアクタであって、前記底部と平行の前記側壁を横切る別の断面が円形、正方形または矩形の形状を有する、ことを特徴とするマイクロリアクタ。
【請求項７】
請求項１〜６のいずれか１つに記載のマイクロリアクタであって、前記断面を変える少なくとも一つの構成要素が前記底部を介してまたはカバーを介して前記キャビティ内に導入される、ことを特徴とするマイクロリアクタ。
【請求項８】
請求項１〜７のいずれか１つに記載のマイクロリアクタであって、前記底部が、前記底部を通しての測定を可能にする光学的に透明な材料から作られる、ことを特徴とするマイクロリアクタ。
【請求項９】
請求項１〜８のいずれか１つに記載のマイクロリアクタであって、それが、複数のキャビティを備える、ことを特徴とするマイクロリアクタ。
【請求項１０】
請求項１〜９のいずれか１つに記載のマイクロリアクタであって、それが、カバーを備える、ことを特徴とするマイクロリアクタ。
【請求項１１】
請求項１０に記載のマイクロリアクタであって、前記カバーが、気体透過性領域を備える、ことを特徴とするマイクロリアクタ。
【請求項１２】
請求項１０または１１のいずれか１つに記載のマイクロリアクタであって、前記カバーが、再び密閉できる領域を備える、ことを特徴とするマイクロリアクタ。
【請求項１３】
請求項１〜１２のいずれか１つに記載のマイクロリアクタであって、それが、複数の同一のキャビティによってマイクロリアクタアレイの一部を形成する、ことを特徴とするマイクロリアクタ。
【請求項１４】
請求項１〜１３のいずれか１つに記載のマイクロリアクタであって、それが、振盪装置を備える、ことを特徴とするマイクロリアクタ。
【請求項１５】
請求項１〜１４のいずれか１つに記載のマイクロリアクタであって、それが、反応参加物の供給および除去ならびに振盪プロセスを中断することなくサンプリングを可能にする、ことを特徴とするマイクロリアクタ。
【手続補正書】
【提出日】平成23年8月2日(2011.8.2)
【手続補正１】
【補正対象書類名】明細書
【補正対象項目名】００３３
【補正方法】変更
【補正の内容】
【００３３】
各要素内の液体の平均滞留時間ｔｉ０は、次式を用いて平均速度から計算することができる。
【数１３】
2011501690.tif 000001
あるいは
【数１３’】
2011501690.tif 000002
ここで、Δｘは、分離チャンネルのそれぞれの要素の長さであり、頭に・点付きのＶｆ，０（ｔｉ）は、分離チャンネルの入口ポートのところの縦方向フロー量である。
【手続補正２】
【補正対象書類名】特許請求の範囲
【補正対象項目名】請求項１
【補正方法】変更
【補正の内容】
【請求項１】
非対称フィールドフローフラクショネーション（ＡＦ４）を利用した、分析対象である少なくとも一つの試料成分を含有した所与の試料系のための分離手法を最適化するための方法であって、流出ポートに向かって先細りしながらチャンネルの縦軸の方向に沿って延びる輪郭形状を有する分離チャンネルであって、チャンネルの下側に横力を発生するための、キャリア流に対して垂直なクロスフローが通過するようになっているメンブレン（２）を有している分離チャンネル（１）を利用して、前記試料系の分離が行われるようになっており、またその際に前記メンブレン（２）がチャンネル形状に依存したメンブレン面積を有している、前記最適化方法において、
ａ）分離チャンネル（１）を使用して、前記試料系のフラクトグラムを測定し、そこから分析対象である試料成分の濃度ピーク特性のリテンションタイムｔｒを決定する工程、
ｂ）実験により決定された前記リテンションタイムｔｒおよびその測定のために使用された前記分離チャンネル（１）の幾何パラメータ、ならびに前記測定のために選定されたプロセスパラメータから、コンピュータ（７）を利用して、次式から、反復法により拡散係数Ｄを決定する工程、
【数３７】
2011501690.tif 000003
またその際、そのために前記先細りする分離チャンネル（１）を、前記分離チャンネルの先細り状態に対応した幅ｂｉ（ｉ＝１〜Ｎ）を持つＮ個の等距離直方体体積要素により近似する、なお、前記式中、
ｈは、分離チャンネル高さ、
ＡＭは、チャンネル形状に依存したチャンネル面積、
頭に・点付きのＶｃ（ｔｉ）は、前記分離チャンネルのｉ個目の体積要素内の体積流量、
Ｒｉは、前記ｉ個目の体積要素内のリテンション比、
ｔｉ０は、前記分離チャンネルの前記ｉ個目の体積要素内の液体の平均滞留時間であり、その際にｔｉ０については次の関係式を使用して決定されること、
【数３８】
2011501690.tif 000004
（式中、Δｘは、分離チャンネルのそれぞれの要素の長さであり、頭に・点付きのＶｆ，０（ｔｉ）は、分離チャンネルの入口ポートのところの縦方向フロー量である）、
ｃ）続いて、前記コンピュータ（７）に接続されたディスプレイ画面（８）上に、前記測定されたフラクトグラム（３）に対応したフラクトグラムを表示する工程、その際に、前記試料成分の濃度ピーク特性が、先に測定されたリテンションタイムｔｒのときに最大値をとるガウス分布を有すること、またその際に前記ガウス分布の母分散τ２を、前記コンピュータ（７）を用いて、次の関係式から計算する工程、
【数３９】
2011501690.tif 000005
式中、ＨＬは、分離段高さであって、次の関係式から算出されること
【数４０】
2011501690.tif 000006
（式中、Ｌは分離チャンネルの長さであり、またｘｉ（λｉ）は、λｉを前記分離チャンネルの前記ｉ個目の体積要素内のリテンションゾーンの厚みとすると、次式で与えられること）、
【数４１】
2011501690.tif 000007
ｄ）設定された最適化目標に顧慮して、前記コンピュータ（７）の前記ディスプレイ画面（８）上に最適分離結果が表示されるまで、前記数式３７および数式３９に代入される前記分離チャンネルの幾何パラメータおよび／または前記測定を実施するために必要であったプロセスパラメータを変化させる工程、
ｅ）引き続いて、コンピュータシミュレーションにより前記最適化目標が達成されたときに得られた幾何パラメータおよび／またはプロセスパラメータを、対応する試料の実際に実施されることになる分析測定のために取り込む工程、
から成ることを特徴とする、最適化方法。
【手続補正書】
【提出日】平成23年8月9日(2011.8.9)
【手続補正１】
【補正対象書類名】特許請求の範囲
【補正対象項目名】請求項１３
【補正方法】変更
【補正の内容】
【請求項１３】
前記イオン交換樹脂は、重炭酸塩、カルボン酸塩、重亜硫酸塩、ハロゲン化物、水酸化物及びメタレートアニオンのうちの１つである触媒アニオンを含む請求項１１に記載の方法。
【手続補正２】
【補正対象書類名】明細書
【補正対象項目名】００１４
【補正方法】変更
【補正の内容】
【００１４】
イオン交換樹脂に存在する架橋するジビニルベンゼンの度合いによって、樹脂の水吸収能力と共重合体の弾性力との間のバランスは維持され、膨れた樹脂は安定した水分含量に保持される。通常、本発明に用いられるイオン交換樹脂は、約３０〜約８０％の保水率値を有し、約４０〜約６５％の保水率値を有することがより通常的である。より高いジビニルベンゼン架橋を有するイオン交換樹脂においては、ポリマーマトリックスの鎖は、引き伸ばすことができないため、これらの樹脂は、膨張能力に制限があり、少ない水しか保持することができない。より低いジビニルベンゼン架橋を有する樹脂は、それらがより多く膨張することができるため、水をより多く保持することができる。
【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
セラミック本体の流入口端から流出口端まで延びる、隣接した流入口流路及び流出口流路によってつながれる流入口端及び流出口端を有する多孔性のセラミックハニカム本体を有し、前記流入口流路および前記流出口流路が、前記流入口流路と前記流出口流路との間にある複数の組み合わせられた薄い気体ろ過性の多孔性隔壁により、及びセラミック栓により規定され、前記流入口流路が前記セラミック本体の前記流出口端において流入口セラミック栓を有し、かつ前記流出流路が前記セラミック本体の前記流入口端において流出口セラミック栓を有するため、前記流入口端に入った流体は前記流出口端から出るために隔壁を通らなければならず、前記セラミックハニカム本体が、熱エネルギーを吸収する可逆的な相変化を受ける熱吸収材を有するセラミックハニカムフィルター。
【請求項２】
前記ハニカムが針状セラミックから構成される、請求項１に記載のセラミックハニカムフィルター。
【請求項３】
前記可逆的相変化が、固体から液体に融解することである、請求項１に記載のセラミックハニカムフィルター。
【請求項４】
前記熱吸収材が金属である、請求項１から３のいずれか一項に記載のセラミックハニカムフィルター。
【請求項５】
前記熱吸収材が外殻に包まれる、請求項１から４のいずれか一項に記載のセラミックハニカムフィルター。
【請求項６】
前記外殻が、前記熱吸収材が前記可逆的相変化を受ける温度よりも少なくとも２００℃高い融解温度を有するセラミック又は金属である、請求項５に記載のセラミックハニカムフィルター。
【請求項７】
前記熱吸収材が金属であり、前記外殻が前記金属の酸化物である、請求項６に記載のセラミックハニカムフィルター。
【請求項８】
前記金属が、アルミニウム、銅、スズ、前記のいずれか１つの合金、又は、前記のいずれかの混合物である、請求項７に記載のセラミックハニカムフィルター。
【請求項９】
前記熱吸収材の前記相変化が、少なくとも約５００℃から最高で約８００℃までの相変化温度において生じる、請求項１に記載のセラミックハニカムフィルター。
【請求項１０】
ｉ）熱エネルギーを吸収する相変化を受ける熱吸収材を有するセラミックハニカムフィルターを提供し、
ｉｉ）ディーゼル排気を、前記排気中のすすが前記フィルターによって捕獲されるように前記セラミックハニカムフィルターに通し、さらに
ｉｉｉ）前記セラミックハニカムフィルターを、前記ディーゼルすすが燃焼するように十分に加熱する（ただし、前記熱吸収材が、前記すすの燃焼から生じる熱の一部を吸収する相変化を受ける）こと
を含む、ディーゼルすすをろ過する方法。
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
不均一系接触化学反応における反応器内部構造としての触媒特性を有する成形体の製造方法において、次の工程：
ａ）  個々の層から完全に所望の成形体が構築されるまで繰り返される次の工程：約０．５μｍ〜約４５０μｍの範囲内の平均粒径を有する粉末状の出発材料又は出発材料混合物を支持体上に薄い層の形で設ける工程、引き続き前記層の選択された箇所に結合剤及び必要な助剤を添加するか、又は照射するか又は他の方法で処理して、前記の箇所の前記粉末を結合させ、それにより前記粉末を前記層内でも隣接する層とでも結合させる工程、前記工程を繰り返して形成された粉末床中で前記成形体の所望の形が完全に写し取る工程、結合剤により結合されていない粉末を除去して、所望の形の成形体の形で結合した粉末を残留させる工程からなる粉末に基づくラピッドプロトタイピング法を用いて成形体を製造する工程、
ｂ）  前記成形体の焼結及び／又はか焼のための熱処理を実施する工程、その際、まず、結合剤の除去が実施されてもよい、
ｃ）  前記成形体上に少なくとも１種の触媒活性成分を設ける工程、
ｄ）  場合により、更なる熱処理を実施する工程、
を有し、
その際、工程ｂ）、ｃ）及び／又はｄ）は、数回実施することができる、
触媒特性を有する成形体の製造方法。
【請求項２】
工程ａ）において、結合剤又は結合剤混合物自体又はその残留物が後の触媒（担体）としての使用の際に前記化学反応に影響を与えないか又は不利な影響を与えない結合剤又は結合剤混合物を使用することを特徴とする、請求項１記載の方法。
【請求項３】
工程ａ）中で、結合剤として、二酸化ケイ素又はアルミノケイ酸のゾル又はコロイド溶液、ケイ酸、ケイ酸エステル、シロキサン又はシリコーンを使用するか、又はビニルポリマー又は他の湿潤剤を添加した水性ベースの液体結合剤を使用することを特徴とする、請求項１又は２記載の方法。
【請求項４】
前記成形体を、二酸化ケイ素、酸化アルミニウム、二酸化チタン、二酸化ジルコニウム、酸化マグネシウム、酸化カルシウム、ミッシュメタル酸化物、ヒドロタルサイト、スピネル、ペロブスカイト、金属リン酸塩、ケイ酸塩、ゼオライト、ステアタイト、コーディエライト、炭化物、窒化物又はこれらの混合物又はブレンドから構成されることを特徴とする、請求項１から３までのいずれか１項記載の方法。
【請求項５】
工程ａ）中で、１μｍ〜４５０μｍの範囲内の平均粒子サイズを有する粉末状の出発材料を使用することを特徴とする、請求項１から４までのいずれか１項記載の方法。
【請求項６】
工程ｂ）中で、前記熱処理を、３５０〜２１００℃の範囲内の温度でのか焼として行うことを特徴とする、請求項１から５までのいずれか１項記載の方法。
【請求項７】
工程ａ）中で使用された前記粉末を、粉砕、分級、か焼、造粒、緻密化、混合、凝集の工程の少なくとも１つを有する前処理にさらすことを特徴とする、請求項１から６までのいずれか１項記載の方法。
【請求項８】
前記成形体は反応媒体が貫流する通路を有し、前記通路は主流動方向に対して０゜〜７０゜、有利に３０゜〜６０゜の範囲内の角度で傾斜されていることを特徴とする、請求項１から７までのいずれか１項記載の方法。
【請求項９】
前記成形体は、有利に化学反応が行われる複数の通路及び更に有利に対流による熱輸送が行われる複数の通路を有するマルチチャンネル型充填物として構成されていて、熱輸送のための前記通路は有利に著しく傾斜されていて、かつ有利に触媒用の前記通路の直径よりも２倍〜１０倍大きな水力直径を有することを特徴とする、請求項１から８までのいずれか１項記載の方法。
【請求項１０】
前記成形体はマルチチャンネル型充填物として構成されていて、前記マルチチャンネル型充填物の個々の層はより良好な材料交換を保証するために穿孔されていることを特徴とする、請求項９記載の方法。
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
AβペプチドをコードするDNA導入遺伝子を含む細胞を含む、Aβペプチドを過剰発現するためのトランスジェニック非ヒト動物。
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
卵キャリアから卵を除去する為の装置において不具合がある卵ピッカーを検出する方法であって、ここでこの装置はキャリア内の複数の卵それぞれと接触関係を持って第１の位置と第２の位置の間を移動可能であり、ここでそれぞれの卵ピッカーは第２の位置にあるときそれぞれの卵とかみ合いそして第２の位置から第１の位置に向って動いたときキャリアから卵を除去するように構成されており、この方法が、
卵ピッカーが、キャリアから除去することを特定された卵を除去しそこなった回数を測定すること；及び
この回数が所定の数を越えたとき、この卵ピッカーに不具合が生じていることを指示する信号を発生させること、
を含む、上記方法。
【請求項２】
卵ピッカーがキャリアから除去することを特定された卵を除去しそこなった回数を測定することを、キャリアに隣接して位置する光学システムにより行なう、請求項１に記載の装置。
【請求項３】
不具合がある卵ピッカーを検出する為の装置であって、
卵キャリアから除去する卵を特定するように構成された、キャンドリング装置；
キャンドリング装置の下流部に配置された卵ピッカー、この卵ピッカーは卵キャリアにおいて除去することを特定された卵と接触して第１の位置と第２の位置の間を移動可能であり、この卵ピッカーは第２の位置にあるとき除去することを特定された卵とかみ合いそして第２の位置から第１の位置に向って動いたときキャリアから特定された卵を除去するように構成されている；
卵ピッカーの下流部に配置され、そして卵キャリアが卵ピッカーを横切った後に卵キャリア内の卵の追加のカウント数を検出するように構成された、検出装置；
卵キャリアから除去する為にキャンドリング装置により特定された卵の初めのカウント数を測定する為にキャンドリング装置と連通した制御装置、この制御装置は卵ピッカー及び検出装置と連通しそしてモニターするように構成され、この制御装置は卵キャリアが卵ピッカーを横切った後に卵キャリア内の卵の数を計算する為の検出装置から卵の追加のカウント数に関連するデータを受け、そしてこの制御装置は卵キャリア内の追加の卵のカウ
ント数が、卵キャリアから除去する為にキャンドリング装置により特定された卵の初めのカウント数から所定の総数変化するときを測定する、
を含む、上記装置。
【請求項４】
制御装置は、卵キャリア内の卵の追加のカウント数が卵の初めのカウント数から所定の総数変化するときを指示する信号を発生させる、請求項３に記載の装置。
【請求項５】
さらに、制御装置に連通し、そして信号の発生により作動する警報器を含む、請求項３に記載の装置。
【請求項６】
制御装置は、卵キャリア内の卵の追加のカウント数が卵の初めのカウント数から所定の総数変化するとき、卵キャリアを少なくとも１つの卵ピッカーと関連づけ、そして信号がその卵ピッカーを特定する、請求項３に記載の装置。
【請求項７】
信号は、関連づけた卵ピッカーに不具合が生じていることを指示する、請求項６に記載の装置。
【請求項８】
卵キャリアの各横列又は縦列の卵の数を、卵キャリア内の卵の追加のカウント数が初めの卵カウント数から所定の総数変化するときを測定する為に使用する、請求項３に記載の装置。
【請求項９】
検出装置が卵キャリア内の卵数を測定する為の光学システムを含む、請求項３に記載の装置。
【請求項１０】
光学システムが反射型光検出器を含む、請求項９に記載の装置。
【請求項１１】
さらに、特定された卵の卵ピッカーによる除去後に、検出装置に複数の卵キャリアを輸送するように構成された、可動式コンベアー・システムを含む、請求項３に記載の装置。
【請求項１２】
検出装置は、卵キャリアが所定の速度で検出装置を横切るとき、卵キャリア内の横列にある卵数を検出する、請求項１１に記載の装置。
【請求項１３】
制御装置は、検出装置により検出された各卵の卵キャリア内の位置と卵キャリア内の各々の空の位置とを算定する、請求項３に記載の装置。
【請求項１４】
不具合がある卵ピッカーを検出する方法であって、
キャンドリング装置を用いて卵キャリアから除去する卵を特定すること；
卵キャリアから除去することを特定された初めの卵のカウント数を測定すること；
卵ピッカーを、卵キャリア内の除去することを特定された卵と接触関係を持って第１の位置と第２の位置の間を移動させること、この卵ピッカーは、第２の位置にあるとき除去することを特定された卵とかみ合いそして第２の位置から第１の位置に向って動いたときキャリアから特定された卵を除去するように構成されている；
検出装置を使用して、卵キャリアが卵ピッカーを横切った後に卵キャリア内の卵の追加のカウント数を検出すること；
卵ピッカーと検出装置に電気的に連通する制御装置を使用して、卵キャリア内の卵の追加のカウント数を、卵の初めのカウント数と比較すること；及び
制御装置を使用して、卵キャリア内の卵の追加のカウント数が卵の初めのカウント数から所定の総数変化するときを測定すること、
を含む、上記方法。
【請求項１５】
さらに、制御装置を使用して、卵キャリア内の卵の追加のカウント数が卵の初めのカウント数から所定の総数変化するときを指示する信号を発生させることを含む、請求項１４に記載の方法。
【請求項１６】
さらに、卵キャリア内の卵の追加のカウント数が卵の初めのカウント数から所定の総数変化するとき、制御装置を使用して、卵キャリアと複数の卵ピッカーの少なくとも１つを関連づけ、そして信号が少なくとも１つの関連づけた卵ピッカーに不具合が生じていることを指示することを含む、請求項１４に記載の方法。
【請求項１７】
さらに、反射型光検出器を含む光学システムを使用する検出装置により、卵キャリア内の卵の追加のカウント数を測定することを含む、請求項１４に記載の方法。
【請求項１８】
さらに、特定の速度で検出装置を通過する複数の卵キャリアを移動させることを含む、請求項１４に記載の方法。
【請求項１９】
さらに、検出装置により検出された、各卵の卵キャリア内の位置と卵キャリア内の各々の空の位置を、制御装置を使用して算出することを含む、請求項１４に記載の方法。
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
（１）アミノ酸配列ＫＡＳＱ−Ｎ／Ｓ−ＶＧＳＤＶＡ（配列番号：１０）を含むＬＨＶＲ１と（２）アミノ酸配列ＳＴＳＹＲＹＳ（配列番号：１１）を含むＬＨＶＲ２と（３）アミノ酸配列ＱＱＹ−Ｎ／Ｓ−ＳＹＰＦＴ（配列番号：１２）を含むＬＨＶＲ３とを含む軽鎖可変ドメイン配列並びに（１）アミノ酸配列ＧＹＴＦ−Ｔ／Ｓ−ＤＹＹＬＹ（配列番号：１３）を含むＨＨＶＲ１と（２）アミノ酸配列ＧＩＳＰＳ−Ｎ／Ｓ−ＧＧＴＴＦ−Ｎ／Ａ−Ｄ−Ｎ／Ａ−ＦＥ−Ｎ／Ｇ（配列番号：１４）を含むＨＨＶＲ２と（３）アミノ酸配列ＤＡＹＧＤＷＹＦＤＶ（配列番号：１５）を含むＨＨＶＲ３とを含む重鎖可変ドメイン配列を含む抗α５β１抗体。
【請求項２】
配列番号：１、２、３、又は４の何れか一の配列又はその変異型を有する軽鎖可変ドメインと配列番号：５、６、７、８又は９の何れか一の配列又はその変異型を有する重鎖可変ドメインを含む抗α５β１抗体。
【請求項３】
軽鎖可変ドメインが配列番号：２の配列を有し、重鎖可変ドメインが配列番号：６の配列を有する請求項２に記載の抗体。
【請求項４】
軽鎖可変ドメインが配列番号：２の配列を有し、重鎖可変ドメインが配列番号：７の配列を有する請求項２に記載の抗体。
【請求項５】
軽鎖可変ドメインが配列番号：３の配列を有し、重鎖可変ドメインが配列番号：８の配列を有する請求項２に記載の抗体。
【請求項６】
軽鎖可変ドメインが配列番号：４の配列を有し、重鎖可変ドメインが配列番号：９の配列を有する請求項２に記載の抗体。
【請求項７】
重鎖可変ドメインの可変領域が３０、４８、４９、５４、６０、６２、６５、６６、６７及び６９からなる群から選択される残基に一のアミノ酸置換を含む、請求項２に記載の抗体。
【請求項８】
軽鎖可変ドメインが２８、４６及び９２からなる群から選択される残基に一のアミノ酸置換を含む、請求項２に記載の抗体。
【請求項９】
アミノ酸置換がＴ３０Ｓ、Ｉ４８Ｖ、Ｇ４９Ｓ、Ｎ５４Ｓ、Ｎ６０Ａ、Ｎ６２Ａ、Ｎ６２Ｓ、Ｎ６５Ｇ、Ｋ６６Ｒ、Ａ６７Ｆ及びＬ６９Ｉからなる群から選択される、請求項７に記載の抗体。
【請求項１０】
軽鎖可変ドメインがＮ２８Ｓ、Ｔ４６Ｌ及びＮ９２Ｓからなる群から選択されるアミノ酸置換を含む、請求項８に記載の抗体。
【請求項１１】
抗体がアルファＶベータ３又はアルファＶベータ５又はアルファＶベータ１に結合しない、請求項１から１０の何れか一項に記載の抗体。
【請求項１２】
抗体がヒトＩｇＧのＦｃ配列を含む請求項１から１１の何れか一項に記載の抗体。
【請求項１３】
ヒトＩｇＧがｈＩｇＧ１又はｈＩｇＧ４である請求項１２に記載の抗体。
【請求項１４】
抗体が抗体依存性細胞媒介性細胞障害（ＡＤＣＣ）エフェクター機能を欠いたＦｃ配列を含む請求項１２に記載の抗体。
【請求項１５】
Ｆｃ配列がＥＵ番号付けシステムに従うＤ２６５Ａ置換を含む請求項１４に記載の抗体。
【請求項１６】
抗体が、Ｆａｂ、Ｆａｂ’、Ｆ（ａｂ）’２、単鎖Ｆｖ（ｓｃＦｖ）、Ｆｖ断片；二重特異性抗体及び直線抗体である、請求項１から１５の何れか一項に記載の抗体。
【請求項１７】
抗体が多価抗体である請求項１から１５の何れか一項に記載の抗体。
【請求項１８】
抗体がヒト化又はキメラである、請求項１から１７の何れか一項に記載の抗体。
【請求項１９】
抗体が単離されている、請求項１から１８の何れか一項に記載の抗体。
【請求項２０】
治療薬をコンジュゲートした請求項１から１９の何れか一項に記載の抗体。
【請求項２１】
治療薬が細胞毒性薬、放射性同位体及び化学治療薬からなる群から選択される、請求項２０に記載の抗体。
【請求項２２】
標識をコンジュゲートした請求項１から２１の何れか一項に記載の抗体。
【請求項２３】
標識が放射性同位体、蛍光色素及び酵素からなる群から選択される、請求項２２に記載の抗体。
【請求項２４】
請求項１から２３の何れか一項に記載の抗体をコードする単離された核酸分子。
【請求項２５】
請求項２４の核酸分子をコードする発現ベクター。
【請求項２６】
請求項２５の発現ベクターを含む細胞。
【請求項２７】
請求項２６の細胞培養及び細胞培養からの抗体の回収を含む抗体の調製方法。
【請求項２８】
請求項１から２３の何れか一項に記載の組成物及び製薬的に許容可能な担体。
【請求項２９】
請求項１から２３の何れか一項の抗体をサンプルに接触させ、サンプル中のα５β１タンパク質を検出することにより、α５β１タンパク質に結合する抗α５β１抗体を検出する方法。
【請求項３０】
抗体が免疫組織化学アッセイ（ＩＨＣ）又はＥＬＩＳＡアッセイに使用される請求項２９に記載の方法。
【請求項３１】
患者の血管新生及び／又は血管透過若しくは漏出を阻害するための請求項１から２３の何れか一項に記載の抗体を含む医薬。
【請求項３２】
疾患が異常な血管新生又は血管透過若しくは漏出を有する、患者の疾患を治療するための請求項１から２３の何れか一項に記載の抗体を含む医薬。
【請求項３３】
ＶＥＧＦアンタゴニストと併用する疾患に罹患した患者の血管新生及び／又は血管透過若しくは漏出を阻害するための請求項１から２３の何れか一項に記載の抗α５β１抗体を含む医薬。
【請求項３４】
ＶＥＧＦアンタゴニストと併用する患者の癌の治療のための請求項１から２３の何れか一項に記載の抗α５β１抗体を含む医薬。
【請求項３５】
ＶＥＧＦアンタゴニストと併用する患者の眼疾患の治療のための請求項１から２３の何れか一項に記載の抗α５β１抗体を含む医薬。
【請求項３６】
ＶＥＧＦアンタゴニストと併用する患者の自己免疫疾患の治療のための請求項１から２３の何れか一項に記載の抗α５β１抗体を含む医薬。
【請求項３７】
疾患に罹患していない患者の組織と比較して、患者の病変組織のα５β１量が上昇している請求項３１から３６の何れか一項に記載の医薬。
【請求項３８】
患者が抗腫瘍剤、化学治療薬、成長阻害剤及び細胞毒性薬からなる群から選択される治療薬を更に投与される、請求項３１から３７の何れか一に記載の医薬。
【請求項３９】
ＶＥＧＦアンタゴニストがベバシツマブによってヒトＶＥＧＦへの結合を競合的に阻害され得る、請求項３３から３８の何れか一に記載の医薬。
【請求項４０】
ＶＥＧＦアンタゴニストがベバシツマブである請求項３９に記載の医薬。
【請求項４１】
ＶＥＧＦアンタゴニスト、請求項１から２３の何れか一項に記載の抗α５β１抗体及び製薬的に許容可能な担体を含む組成物。
【請求項４２】
（ａ）請求項１から２３の何れか一項の抗体、及び（ｂ）患者のアルファ５ベータ１を検出する指示書を含む患者のアルファ５ベータ１を検出するためのキット。
【請求項４３】
（ａ）請求項１から２３の何れか一項の抗α５β１抗体、及び（ｂ）抗α５β１抗体の患者への投与のための指示書を含む患者の癌、眼疾患又は自己免疫疾患の治療のための製品。
【請求項４４】
ＶＥＧＦアンタゴニストを更に含む請求項４３の製品。
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
ラブラドールレトリバー品種の遺伝的形質を有するイヌにおける肝臓中銅蓄積に起因する疾患の予防剤であって、少なくとも４．５ｍｇ／ｋｇ〜１２ｍｇ／ｋｇ乾物未満の濃度で銅を含む食品を含む、前記予防剤。
【請求項２】
（ａ）銅蓄積に対する感受性を示すイヌのＧＯＬＧＡ５、ＡＴＰ７ａもしくはＵＢＬ５遺伝子中の多型および／または（ｂ）前記多型（ａ）との連鎖不均衡における多型の有無を検出することを含む方法によって肝臓中銅蓄積に感受性であると決定したイヌにおいて、肝臓中銅蓄積に起因する疾患を予防する際に使用するための、請求項１に記載の予防剤。
【請求項３】
イヌは、少なくとも１つの多型（ａ）および少なくとも１つの多型（ｂ）の有無を検出することを含む方法によって、肝臓中銅蓄積に感受性であると決定されている、請求項２に記載の予防剤。
【請求項４】
多型が一塩基多型（ＳＮＰ）である、請求項２または３に記載の方法。
【請求項５】
イヌは、ＢＩＣＦ２Ｐ５０６５９５（配列番号：１）、ＢＩＣＦ２Ｐ７７２７６５（配列番号：２）、ＢＩＣＦ２Ｓ２３３３１８７（配列番号：３）、ＢＩＣＦ２Ｐ１３２４００８（配列番号：４）、ＢＩＣＦ２Ｐ５９１８７２（配列番号：５）およびその連鎖不均衡における１つまたは複数のＳＮＰから選択される１つまたは複数のＳＮＰの有無を検出することを含む方法によって、肝臓中銅蓄積に感受性であると決定されている、請求項４に記載の予防剤。
【請求項６】
イヌは、ＳＮＰ  ＢＩＣＦ２Ｐ５０６５９５（配列番号：１）、ＢＩＣＦ２Ｐ７７２７６５（配列番号：２）、ＢＩＣＦ２Ｓ２３３３１８７（配列番号：３）、ＢＩＣＦ２Ｐ１３２４００８（配列番号：４）、およびＢＩＣＦ２Ｐ５９１８７２（配列番号：５）の有無を検出することを含む方法によって、肝臓中銅蓄積に感受性であると決定されている、請求項５に記載の予防剤。
【請求項７】
イヌは、
（ａ）イヌのゲノムにおける請求項２から６のいずれか一項に記載の多型の有無に関するデータをコンピュータシステムに入力すること、
（ｂ）データを、ＧＯＬＧＡ５、ＡＴＰ７ａもしくはＵＢＬ５遺伝子中の１つもしくは複数の多型および／またはその連鎖不均衡における１つもしくは複数の多型、ならびに肝臓中銅蓄積に対するイヌの感受性とこれらの多型との関係に関する情報を含むコンピュータデータベースと比較すること、および
（ｃ）前記比較に基づいて肝臓中銅蓄積に対するイヌの感受性を決定すること
を含む方法によって、肝臓中銅蓄積に感受性であると決定されている、請求項１から６のいずれか一項に記載の予防剤。
【請求項８】
少なくとも１２０ｍｇ／ｋｇ乾物の濃度で亜鉛をさらに含む、請求項１から７のいずれか一項に記載の予防剤。
【請求項９】
イヌにおいて肝臓中銅蓄積に起因する疾患を予防する際に使用するための、請求項１から８のいずれか一項に記載の予防剤であって、前記イヌは、
（ｉ）純血種のラブラドールレトリバーである少なくとも一方の親を有する；および／または
（ｉｉ）肝臓中銅蓄積と関連する臨床症状がない；および／または
（ｉｉｉ）肝臓乾燥重量４００ｍｇ／ｋｇ未満の肝臓中銅濃度を有する；および／または
（ｉｖ）検出可能な肝疾患を有していない、
前記予防剤。
【請求項１０】
銅関連慢性肝炎を予防する際に使用するための、請求項１から９のいずれか一項に記載の予防剤。
【請求項１１】
食品がラベルされている、請求項１から１０のいずれか一項に記載の予防剤。
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
検出面内に形成されたストリップ・パターンを電気走査信号に変換可能である、行列の行（Ｚ）及び列（Ｓ）に配置された複数の光検出エレメント（２４；２４０）を備えた光学式位置測定装置用の検出エレメント・アレイにおいて、
前記検出エレメント（２４；２４０；３４０；４４０）の少なくとも一部に、スイッチ（２５．１、２５．２；２５０．１、２５０．２；３５０．１、３５０．２；４５０．１、４５０．２）が付設され、前記スイッチ（２５．１、２５．２；２５０．１、２５０．２；３５０．１、３５０．２；４５０．１、４５０．２）を介して、これらの検出エレメント（２４；２４０；３４０；４４０）の各々が、隣接する１つ又は複数の検出エレメント（２４；２４０；３４０；４４０）と選択的に接続可能であり、
付設のスイッチを備えた前記検出エレメント（２４；２４０；３４０；４４０）に、少なくとも１つのメモリ・エレメント（２６；２６０；３６０；４６０）が付設され、前記メモリ・エレメント（２６；２６０；３６０；４６０）に、設定された走査構成において、特定の検出エレメント（２４；２４０；３４０；４４０）が、前記スイッチ（２５．１、２５．２；２５０．１、２５０．２；３５０．１、３５０．２；４５０．１、４５０．２）を介して、隣接するいずれの検出エレメント（２４；２４０；３４０；４４０）と接続されているかを示す情報が記憶可能であり、
付設のスイッチ（２５．１、２５．２；２５０．１、２５０．２；３５０．１、３５０．２；４５０．１、４５０．２）を有する前記検出エレメント（２４；２４０；３４０；４４０）にそれぞれ、２以下のスイッチ（２５．１、２５．２；２５０．１、２５０．２；３５０．１、３５０．２；４５０．１、４５０．２）が付設され、前記スイッチ（２５．１、２５．２；２５０．１、２５０．２；３５０．１、３５０．２；４５０．１、４５０．２）を介して、
同じ列（Ｓ）内の隣接する検出エレメント（２４；２４０；３４０；４４０）との直接接続、及び
隣接する行（Ｚ）の隣接する列（Ｓ）内の斜め方向に隣接する検出エレメント（２４；２４０；３４０；４４０）との直接接続、
の少なくともいずれかが選択的に形成可能である
ことを特徴とする光学式位置測定装置用の検出エレメント・アレイ。
【請求項２】
請求項１記載の検出エレメント・アレイにおいて、該検出エレメント・アレイ（２３；２３０）の横に隣接して、複数の接続ライン（３０．１〜３０．４、３１）が配置され、前記接続ライン（３０．１〜３０．４、３１）とそれぞれ、スイッチ（２５．１、２５．２；２５０．１、２５０．２；３５０．１、３５０．２；４５０．１、４５０．２）を介して接続された検出エレメント（２４；２４０；３４０；４４０）のグループが接続可能であることを特徴とする検出エレメント・アレイ。
【請求項３】
請求項１記載の検出エレメント・アレイにおいて、１つのグループの検出エレメント（２４；２４０；３４０；４４０）が、ストリップ・パターンの走査から、それぞれ同じ位相の走査信号を発生することを特徴とする検出エレメント・アレイ。
【請求項４】
請求項２又は３記載の検出エレメント・アレイにおいて、前記接続ライン（３０．１〜３０．４、３１）と前記検出エレメント・アレイ（２３；２３０）との間にチャネル・マルチプレクサ（２９）が配置され、該チャネル・マルチプレクサ（２９）を介して、同じ位相の走査信号を有するグループの接続された検出エレメント（２４；２４０；３４０；４４０）が、それぞれ同じ接続ライン（３０．１−３０．４、３１）に接続可能であることを特徴とする検出エレメント・アレイ。
【請求項５】
請求項４記載の検出エレメント・アレイにおいて、前記検出エレメント（２４；２４０；３４０；４４０）は、４つの接続ライン（３０．１〜３０．４）に、９０°ずつの位相差を有する４つの走査信号が、又は３つの接続ラインに、１２０°ずつの位相差を有する３つの走査信号が提供されることを特徴とする検出エレメント・アレイ。
【請求項６】
請求項１記載の検出エレメント・アレイにおいて、プログラミング・ライン（２８．１、２８．２）が検出エレメント（２４；２４０）の列（Ｓ）及び行（Ｚ）の間に配置され且つ前記メモリ・エレメント（２６；２６０；３６０；４６０）を操作するためにこれらと接続され、これにより、前記スイッチ（２５．１、２５．２；２５０．１、２５０．２；３５０．１、３５０．２；４５０．１、４５０．２）を選択的に操作可能であることを特徴とする検出エレメント・アレイ。
【請求項７】
請求項１記載の検出エレメント・アレイにおいて、平行なストリップからなる周期的ストリップ・パターンを走査するために、前記スイッチ（２５．１）を介して、それぞれ１つの列（Ｓ）内の検出エレメント（２４；２４０）のみが相互に接続されていることを特徴とする検出エレメント・アレイ。
【請求項８】
請求項１記載の検出エレメント・アレイにおいて、
角度配置されたストリップからなる周期的ストリップ・パターンを走査するために、前記検出エレメント・アレイ（２３；２３０）が対称軸（ＳＹＭ）に対して鏡面対称に形成された２つの部分を有し、
対称軸（ＳＹＭ）の方向から見て左半分内において、２つのスイッチ（２５．１、２５．２；３５０．１、３５０．２；４５０．１、４５０．２）を介して、同じ列（Ｓ）内の隣接する検出エレメント（２４；３４０；４４０）との接続、及び上方に隣接する行（Ｚ）の左側に隣接する列（Ｓ）内の隣接する検出エレメント（２４；３４０；４４０）との接続、の少なくともいずれかが選択的に形成可能であり、
対称軸（ＳＹＭ）の方向から見て右半分内において、２つのスイッチ（２５．１、２５．２；３５０．１、３５０．２；４５０．１、４５０．２）を介して、同じ列（Ｓ）内の隣接する検出エレメント（２４；２４０；３４０）との接続、及び上方に隣接する行（Ｚ）の右側に隣接する列（Ｓ）内の隣接する検出エレメント（２４；３４０；４４０）との接続、の少なくともいずれかが選択的に形成可能である
ことを特徴とする検出エレメント・アレイ。
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
流体試料を受けるための流体受け区域を含む試験センサであって、前記流体受け区域が、前記試料中の分析対象物とで計測可能な反応を生じさせる試薬を含有し、前記試験センサが試験センサ温度を有し、前記試薬が試薬温度を有するものである試験センサと、
前記試験センサを受けるように構成された開口、
前記試薬と前記分析対象物との反応の計測値を決定するように構成された計測システム、及び
前記試験センサが前記開口中に受けられているときの前記試験センサ温度の計測値を決定するように構成された温度計測システム
を含む計器と
を含み、前記計器が、前記反応の前記計測値及び前記試験センサ温度の前記計測値を使用して前記試料中の前記分析対象物の濃度を決定する、流体試料中の分析対象物濃度を決定するためのアセンブリ。
【請求項２】
前記温度計測システムが、前記試験センサからの赤外線を計測することによって前記試験センサ温度の計測値を決定するように構成されたサーモパイルセンサを含む、請求項１記載のアセンブリ。
【請求項３】
前記温度計測システムが、前記計器のボディに対応する参照温度の計測値を決定するように構成されたサーミスタ、サーモカップル及び半導体温度センサの少なくとも一つをさらに含む、請求項２記載のアセンブリ。
【請求項４】
前記試験センサが、それに適用されたサーモクロミック材料を含む、請求項１記載のアセンブリ。
【請求項５】
前記温度計測アセンブリが、前記サーモクロミック材料の温度依存性色を検出するように構成された光学検出システムを含む、請求項４記載のアセンブリ。
【請求項６】
前記試験センサ温度及び前記試薬温度が略周囲温度である、請求項１記載システム。
【請求項７】
前記開口が、前記計器の外面に近接する第一端から前記計器の内部にある第二端まで延び、前記温度計測アセンブリが、前記温度センサによって計測される前記試験センサの領域への伝熱を最小限にするために前記第二端に近接させて配置された温度センサを含む、請求項１記載のシステム。
【請求項８】
前記温度計測アセンブリが、前記試験センサの領域から温度関連信号を受ける温度センサを含み、前記温度センサ及び前記試験センサの領域が空間によって分けられ、前記空間が、前記領域への伝熱を最小限にするために、前記領域の周囲に断熱空気ポケットを形成している、請求項１記載のシステム。
【請求項９】
前記計器から前記試験センサへの伝熱を最小限にするために、前記計器と前記試験センサとの接触が点接触である、請求項１記載のシステム。
【請求項１０】
流体試料中の分析対象物濃度を決定するためのアセンブリであって、
流体試料を受ける試験センサ、
前記試験センサの温度を決定する光学検出システム、及び
前記試験センサを受け、前記光学検出システムによって決定された温度にしたがって流体試料中の分析対象物濃度を計測する装置
を含むアセンブリ。
【手続補正書】
【提出日】平成23年10月6日(2011.10.6)
【手続補正１】
【補正対象書類名】明細書
【補正対象項目名】００２３
【補正方法】変更
【補正の内容】
【００２３】
基板26はサーミスタＮＴＣ１乃至ＮＴＣ５を形成するセラミックを充填されたペースト材料がスクリーン印刷されている高い熱伝導セラミックから形成されることができる。このような材料はＲ１００シリーズの称号でHeraeus Incorporatedの回路材料部門から入手可能である。このような構造は完全にディスクリートなサーミスタコンポーネントを除去し、プローブモジュール12の熱質量を減少する助けをする。